(57)【特許請求の範囲】
【請求項１】
リール脚固定装置を設けた元竿に振出し可能に収納された第１中竿が尻栓を含む元竿に保持されて元竿先端から握持可能な長さ突出していると共に、第２中竿が第１中竿に振出可能に収納された状態で元竿又は第１中竿に保持されて第１中竿先端から突出しており、該第２中竿突出部には第１中竿先端との間に充分に握持できる間隔を有さないで釣糸導入部を設けており、収納状態における釣糸導入部からリール脚固定装置までの距離が６０ｃｍ以下に設定されていることを特徴とする継式中通し釣竿。
【請求項２】
リール脚固定装置を設けた元竿に振出し可能に収納された第１中竿が尻栓を含む元竿に保持されて元竿先端から突出しており、該突出部の先端部は第２中竿との継合部であり、該継合部直後に釣糸導入部を設けており、該釣糸導入部と元竿先端との間は充分に握持できる間隔を有さず、第２中竿は第１中竿に振出し可能に収納された状態で元竿又は第１中竿に保持されて第１中竿先端から該第１中竿の元竿先端からの突出量よりも長く突出しており、収納状態における第１中竿先端からリール脚固定装置までの距離が５０ｃｍ以下に設定されていることを特徴とする継式中通し釣竿。
【発明の詳細な説明】
【０００１】
【発明の属する技術分野】
本発明は継式中通し釣竿に関する。
【０００２】
【従来の技術】
釣りにおいて仕掛けが岩等に根掛りした場合、竿を左右に振ったり、突き出したりして外す試みがなされるが、一般にはなかなか外れず、ついには仕掛け毎外すことを諦めて糸を切り、再び仕掛けを付け直す作業を行わなければならないことが多かった。糸を切る場合には糸は手前で切らざるを得ず、このため中通し釣竿では面倒な作業である糸通しから始めなければならなかった。
【０００３】
【発明が解決しようとする課題】
糸を切ることなく竿の操作だけで根掛りを外すことができれば好ましく、更には、釣りにおいては釣れるチャンスにタイミングよく仕掛けを流すことが大切であるため、根掛りは一刻も早く外さなければならない。
【０００４】
依って本発明は、根掛りした糸を迅速に外すことが可能なように、長さ調節を迅速にできる継式中通し釣竿の提供を目的とする。
【０００５】
【課題を解決するための手段】
上記目的に鑑みて本発明は、請求項１において、リール脚固定装置を設けた元竿に振出し可能に収納された第１中竿が尻栓を含む元竿に保持されて元竿先端から握持可能な長さ突出していると共に、第２中竿が第１中竿に振出可能に収納された状態で元竿又は第１中竿に保持されて第１中竿先端から突出しており、該第２中竿突出部には第１中竿先端との間に充分に握持できる間隔を有さないで釣糸導入部を設けており、収納状態における釣糸導入部からリール脚固定装置までの距離が６０ｃｍ以下に設定されていることを特徴とする継式中通し釣竿を提供する。
【０００６】
また請求項２において、リール脚固定装置を設けた元竿に振出し可能に収納された第１中竿が尻栓を含む元竿に保持されて元竿先端から突出しており、該突出部の先端部は第２中竿との継合部であり、該継合部直後に釣糸導入部を設けており、該釣糸導入部と元竿先端との間は充分に握持できる間隔を有さず、第２中竿は第１中竿に振出し可能に収納された状態で元竿又は第１中竿に保持されて第１中竿先端から該第１中竿の元竿先端からの突出量よりも長く突出しており、収納状態における第１中竿先端からリール脚固定装置までの距離が５０ｃｍ以下に設定されていることを特徴とする継式中通し釣竿を提供する。
【０００７】
釣りにおいては、通常、リール固定部を握持して釣り操作を行うが、請求項１では、第１と第２の中竿を収納保持した状態で第１中竿の先部が元竿から突出しており、また、第２中竿が第１中竿から突出しており、第１中竿の突出部は握持可能な程度に突出しており、第２中竿の突出部は釣糸導入部位を握持することができ、また、釣糸導入部からリール脚固定装置までの距離が６０ｃｍ以下（人の片腕の長さ程度以下）に設定されているため、伸長余裕が有り、釣り操作をしている前側の手で第２と第１の中竿の突出部を、夫々順次に握持して迅速に引出すことができ、根掛りした場合に第２、第１の順序で中竿を迅速に引出せば（何れか一方のみ引出しても可）、これにより釣竿を長くして先方向に突き出せ、根掛りを迅速に外せる可能性が高くなる。また、２本を迅速に引出すことができるように構成されているため、１本の場合と比べて迅速性を失わずにより長い距離を調節でき、その分根掛りを外し易い。更には、第２中竿に釣糸導入部を設けているため、第１中竿に釣糸導入部を設けている場合と比べ、両中竿を引出してて使用する場合は、釣糸が外部に出ている距離が長くなるため糸抵抗が小さくなる。また、第２中竿の釣糸導入部と第１中竿先端との距離が握持可能な程度以上に長い場合と比べ、釣糸導入部が糸通し作業時に竿を保持した手元により近く、作業がし易い。
【０００８】
請求項２でも、第１と第２の中竿を収納保持した状態で、釣糸導入部を握持することにより第１と第２の２本の中竿を握持可能な長さ突出させているため、また、第１中竿先端からリール脚固定装置までの距離が５０ｃｍ以下に設定されているため、第１中竿直前の第２中竿を握持できる位置とリール脚固定装置との距離は６０ｃｍ程度となり、釣り操作をしている前側の手で第２と第１の中竿の突出部を、夫々順次に握持して迅速に引出すことができ、根掛りした場合に第２、第１の順序で中竿を迅速に引出せば（何れか一方のみ引出しても可）、これにより釣竿を長くして先方向に突き出せ、根掛りを迅速に外せる可能性が高くなる。また、２本を迅速に引出すことができるように構成されているため、１本の場合と比べて迅速性を失わずにより長い距離を調節でき、その分根掛りを外し易い。また、第１中竿の釣糸導入部と元竿先端との距離が握持可能な程度以上に長い場合と比べ、糸通し作業時に釣糸導入部が竿を保持した手元により近く、作業がし易い。
【０００９】
【発明の実施の形態】
以下、本発明を添付図面に示す実施形態例に基づき、更に詳細に説明する。
図１は請求項１の形態例であり、元竿５０に対して第１中竿５２が、第１中竿に対して第２中竿５４が、第２中竿に対して第３中竿５６が、第３中竿に対して第４中竿５８が、第４中竿に対して穂先竿６０が、夫々振出可能に収納されている。特に、第１中竿５２は保持部５２Ｈを介して元竿５０に保持され、第２中竿５４は保持部５４Ｈを介して第１中竿５２に保持されている。従って、第１と第２の中竿を収納した状態で釣りができる。なお、必要ならば第１中竿はその後端部を元竿本体やその尻栓５０Ｓにも保持させ、保持状態を安定させることができる。第２中竿の後端部も尻栓５０Ｓを含む元竿や第１中竿によって保持し、安定させることができる。逆に、保持部５２Ｈや５４Ｈを無くして、尻栓５０Ｓによって中竿の元側端部のみを保持してもよい。また、保持部５２Ｈ等による第１中竿の保持力は、保持部５４Ｈ等による第２中竿の保持力よりも強く構成している。保持力の差を、中竿の引出し力の値で１ｋｇ以上、好ましくは１．５〜３．５ｋｇ程度差を設ける。また、中竿を引出す際に回転させることが普通であるが、この回転方向保持力を第２中竿よりも第１中竿の方を大きくしておくと、第２中竿の引出し時に第１中竿が付いて来ることが防止できる。なお、各竿管はエポキシ樹脂等の合成樹脂をマトリックスとし、炭素繊維等の強化繊維で強化したＦＲＰ製である。
【００１０】
収納状態において第１中竿５２は元竿先端から長さＮ３だけ突出しており、第２中竿５４は、本形態例では第１中竿先端からＮ３よりも充分に長く突出している。第３中竿、第４中竿、穂先竿の各竿管は図示の如く、引出し可能な程度に僅かづつ突出した状態で第２中竿５４内に収納されており、これらの細い竿管が不用意に障害物に当って損傷することが防止される。元竿５０には後端部から距離Ｎ１の位置にリール脚固定装置６２が設けられており、第２中竿５４の第１中竿先端から距離Ｎ４だけ間隔をおいて釣糸導入部を設けている。即ち、セラミックス製ガイドリング７０Ｇを有したブリッジ状の金属製フレーム７０が設けられており、このフレームの内側にセラミックス製の長孔状ガイド６８が設けられている。この形態例では、特にフレーム７０を分解可能に構成して第２中竿を元竿の後端から抜き出して手入れを行ったり、部品を交換できるようにしてもよい。他の形態の釣糸導入部の場合も、同様に取外し可能に構成して、第２中竿が後方から抜き出せるように構成するとよい。
【００１１】
従って、第３中竿以降を振り出し継ぎ合わせし、リール脚固定装置に固定されたリールから引出された釣糸は、この２つのガイド７０Ｇ，６８を通って竿管内に導入され、穂先竿の先端トップガイドから外部に引出される。こうして釣りを行うが、リールから引出された釣糸が釣糸導入部を通過する前に、竿管表面に接触して糸抵抗が大きくなったり損傷することを防止するために、元竿先端と第１中竿先端に、夫々竿管表面から突出したリング状の膨出ガイド６４，６６を設けている。また、高さの高い一般的なガイドを設けたり、移動ガイドを配設してももよい。
【００１２】
第１中竿と第２中竿とを収納保持させた状態で釣りを行っている最中に根掛りを生じた場合に、これらの竿管を素早く引出して釣竿を伸長させ、これによって根掛りを外すべく、第１中竿５２の元竿先端から突出した部位（長さＮ３の領域）と、第２中竿５４の釣糸導入部の部位（長さＮ５の領域）とに、握持した際の滑り止め用の被膜や部材を設けている。これは表面を凹凸形状にしたり、柔軟部材を配設して握持性を良くする。最大限長くする操作では、まず、第２中竿を引出し、次いで第１中竿を引出す。第１中竿は第２中竿よりも強く保持されているため、第１中竿を保持した状態で第２中竿の引出しが円滑に行われる。
【００１３】
Ｎ３は５〜１５ｃｍ程度、Ｎ５は５〜１５ｃｍ程度、Ｎ４は握持できる必要がないため５ｃｍ程度以下、Ｎ１は３０〜４０ｃｍ程度、Ｎ２は２０〜４０ｃｍ程度、第１中竿の引出し操作を容易にする観点からＮ８は８０ｃｍ以下が好ましく、更には６０〜７０ｃｍが好ましいが、それ以下でもよい。Ｎ６は３０〜５０ｃｍ程度、釣糸導入部の中間位置とリール脚固定装置６２との距離Ｎ７は６０ｃｍ程度以下であって通常３０ｃｍ程度以上であり、前後の腕の間には充分な伸長余裕が有り、Ｎ９は１ｍ程度以下として、釣り操作中に根掛りしても、第２中竿を素早く引出せる。仕舞寸法Ｎ１０は１３０ｃｍ程度か、それ以下であり、この形態例では第２中竿も該仕舞寸法と同じ程度の長さである。
【００１４】
第２中竿の釣糸導入部を第１中竿先端から握持できない程度の距離Ｎ４に設けたが、釣糸導入部（或いはＮ４＋Ｎ５の領域）を握持できるため、引出し操作の迅速性に不都合はなく、糸通し作業の際には、元竿部を保持した一方の手に釣糸導入部が近くて糸通しが容易になる。また、釣りにおいてこの形態例のように第１と第２の２本の中竿を振出し可能に構成すれば、引出し調節可能な長さが長くできると共に、調節長さを２つに分割し、以上説明した長さに設定しているため、第２中竿はＮ９程度引出せばよく、第１中竿はＮ８程度引出せばよく、夫々を１本づつ迅速に引出せ、調節が迅速にできる。また、こうした引出された長い状態で釣りを行う場合は、釣糸は外部のフリーな区間が長くなり、その分釣糸抵抗が低減される。
【００１５】
なお、第１中竿を元竿に対して首吊式（元竿の後端まで収納しない手法）にして収納すれば、第１中竿の引出し長さは元竿５０の長さＮ８よりも短くでき、また、第２中竿を第１中竿に対して首吊式にして収納すれば、第２中竿の引出し長さは長さＮ９よりも短くできる。更には、第２中竿を引出す際の握持では、釣糸導入部を握持するが、ここは上下方向に長い断面非円形であり、握持しての引出し操作がし易い。また、下記の第２形態例と同様に、収納した状態の第２中竿の突出長さが長い（釣糸導入部の前側領域が長い）ため、第３中竿から前方の各竿管が中に収納保護される。第２中竿の後端が元竿の中間位置で終端している形態では、第３中竿以降は第２中竿と第１中竿や元竿によって収納されて同様に保護される。
【００１６】
なお、本願では釣糸導入部の形態は任意であり、例えば、ブリッジ状の金属製フレーム７０を無くして、ガイドリング７０Ｇは長孔状ガイド６８の後ろに設けた立設部材（折り畳み式でもよい）に装着させてもよい。また、ねじ等の固定部材でガイドリング７０Ｇを立設部材に装着して、釣糸が垂直方向に入射するようにその立設角度を調節したり、更には、立設部材を筒状リールシート部材と同様な構造にして、竿管上を移動保持固定可能に構成してもよい。
【００１７】
図２は第２形態例であり、主として第１形態例との相違を説明する。同一記号で表示したものは同一部材や同一寸法である。元竿５０の先端から突出した第１中竿５２の先部領域に釣糸導入部が設けられており、この釣糸導入部は元竿先端から、握持できない程度、即ち、手の幅（８〜９ｃｍ程度）より狭い間隔Ｎ４を隔てて設けられ、釣糸導入部の直前は継合部であり、継合部長さＮ１１は５〜１５ｃｍ程度である。第２中竿５４の第１中竿先端からの突出長さＮ１４は、第１中竿の突出長さＮ１３よりも充分に長く、２倍程度以上であり、３０〜６０ｃｍ程度である。第１中竿先端からリール脚固定装置までの距離Ｎ６’は５０ｃｍ以下に設定されており、第１中竿先端直前の第２中竿領域に滑り止め用の被膜や部材を設けた握持部を形成し、この握持部長さＮ１２はＮ５の長さ程度でよく、その中心位置とリール脚固定装置６２との距離Ｎ７’は６０ｃｍ程度以下となり、第１中竿の長さＮ９’（概ね第２中竿の収納長さ）は第１形態例のＮ９と同程度であり、釣り操作中に根掛りを外すため第２中竿と第１中竿を順次迅速に引き出すことが可能となる。
【００１８】
第２中竿が釣竿の仕舞寸法Ｎ１０に近い長さを有している本形態例では、第３中竿以降の竿管が殆ど第２中竿内に収納され、保護される。第２中竿の後端が元竿の中間位置で終端している形態では、第３中竿以降は第２中竿と第１中竿や元竿とによって収納されて同様に保護される。また、糸通し作業では、第２中竿を引出して第１中竿の先端部の継合部に継合わせ、この状態で長孔状ガイド６８を介して釣糸や糸通し具を挿入すれば、第２中竿の後端に挿通させ易い。この場合、第２中竿の後端に、ガイドリングを保持するために通常設ける栓体の後側開口形状を、後方に向って漸次拡径させて第１中竿継合部の内周面に至る程度に形成すれば、更に糸通しが容易になる。
【００１９】
中通し釣竿は、釣糸が絡み難い等の理由で多用されるようになっている反面、釣りの前には釣糸を竿管内に挿通させる準備作業が有り、これは結構煩わしいものである。また、釣糸が竿管内部の狭い空間を挿通するため、釣糸抵抗が小さくなるように設計することが必要であるが、この他、仕掛けが根掛りした場合や、その他釣り場の条件によって、釣竿の長さ調節をして釣り操作を行いたい場合が生ずる。
こうした釣糸挿通準備作業を如何に容易、かつ迅速にさせるか、或いは、釣りの最中での釣竿長さ調節を如何に快適、かつ迅速に行えるか、更には、長さ調節を行っても釣糸抵抗の低減を如何に図るかは、上記中通し釣竿の特性を活かして中通し釣竿を有効に使用できるか否かに係る重要な事項である。
そこで、釣糸挿通作業を容易、迅速にさせて、中通し釣竿の長所を活かした釣りを行えるようにした中通し釣竿の提供を１つの目的とする。
また、釣糸抵抗を低減させつつ、長さ調節を快適、かつ迅速に行える中通し釣竿の提供を２つ目の目的とする。
【００２０】
上記１つ目の目的達成手段は、リール脚固定部を有する元側竿管に振出式に継ぎ合わされる中竿の長さが前記元側竿管の長さよりも長く、該中竿には釣糸を内部に導入する釣糸導入部が設けられており、該中竿は前記元側竿管の後端近くまで収納可能であり、該後端近くまで中竿を収納した状態において前記釣糸導入部が元側竿管の外に出ており、かつ、釣糸導入部は釣竿の仕舞全長の前後の略３０％を除いた中間領域に位置しており、前記釣竿の仕舞全長が略１３０ｃｍ以下であることを特徴とする中通し釣竿を提供する。
また２つ目の目的達成手段は、リール脚固定部を有する元側竿管に振出式に継ぎ合わされる中竿の長さが前記元側竿管の長さよりも長く、該中竿には釣糸を内部に導入する釣糸導入部が設けられており、該中竿は前記元側竿管の後端近くまで収納可能であり、該後端近くまで中竿を収納した状態において前記釣糸導入部が元側竿管の外に出ており、かつ、前記リール脚固定部から元側竿管の前端までの距離は元側竿管の前端から釣糸導入部までの距離よりも短いことを特徴とする中通し釣竿を提供する。
【００２１】
前者では、釣糸導入部から糸通し作業を行う際には、この釣糸導入部付近を把持して行うが、釣糸導入部が仕舞状態の釣竿の前後の略３０％を除いた中間領域に位置しているため、把持した場合に釣竿のバランスが採れ、糸通し作業が容易になる。仕舞全長Ｌが１３０ｃｍ以下であるため、一方の手で釣糸導入部付近を把持した状態において、釣糸導入部の設けられた中竿に収納された他の竿管の先端部を他方の手で摘んで、前記一方の手を持ち変えることなく他の竿管の後端が釣糸導入部の近くに位置するまで一気に引き出すことができ、非常に簡便に糸通し可能状態に設定できる。
また、内部の見えるタイプの釣糸導入部では、釣糸導入部付近を把持した一方の手を目に近づけて竿管を引き出す作業を釣糸導入部から覗きながら行え、より迅速に行える。
【００２２】
釣り場の条件によって元側竿管に釣糸導入部のある中竿を収納した短い状態でも釣りを行うことがあり、この場合でもリール脚固定部と釣糸導入部との距離を長くして釣糸導入角度を小さくし、これにより釣糸抵抗を低減させると好ましい。それと共に、この短い状態で釣りを行っている最中に、例えば仕掛けが根掛りした場合等に釣竿を長くしたい場合があり、釣り状態で迅速に長くできれば好ましい。釣糸導入角度を考慮してリール脚固定部と釣糸導入部との距離が所定の距離であれば、あとは必要に応じて長く引き出す場合に迅速にできるだけ長く引き出せる構造が好ましく、このため後者では、前記リール脚固定部から元側竿管の前端までの距離は元側竿管の前端から釣糸導入部までの距離よりも短く設定しており、釣り状態においてこの中竿を引き出す場合には、元側竿管のリール脚固定部を把持している一方の手をそのままにして他方の手を元側竿管前端直前領域の中竿を握って引き出せば長く引き出せるが、この場合、釣人の両腕の広げ間隔が所定であるため、リール脚固定部から元側竿管前端までの距離が短ければ短い程一気に引き出せる長さを長くでき、引き出しの自由度が大きくなる。
【００２３】
上記前者と後者の観点から、添付図面に示す実施の形態例に基づき、以下更に詳細に説明する。
図３は１つ目の形態例を示す。元竿１０にはリールを固定するリール脚固定部１０Ｒが設けられており、後端には尻栓１０Ａが螺着されている。この元竿１０に振出式に収納される第１中竿１２は元竿の後端近くまで収納可能であり、その長さは元竿１０の長さよりも相当に長く、仕舞った状態が図３の如くである。この中竿１２には釣糸導入部２０が設けられており、収納状態で元竿１０から外に出ている。この釣糸導入部２０は、第１中竿１２に設けられた長孔に装着した長孔を有するセラミックス等の硬質ガイドリング２２と、その上方を覆うように配設されたブリッジ状の金属製フレーム２６と、このフレームの後部に装着されたセラミックス等の硬質のガイドリング２４とを有している。このガイドリング２４は元竿先端外周よりも高い位置に設けられており、このように第１中竿１２を元竿１０に収納した短い状態で釣りを行う際に、釣糸が元竿先端部に接触して釣糸抵抗が大きくなることを防止している。
【００２４】
上記第１中竿１２には、第２中竿が、その第２中竿には第３中竿が、この第３中竿には穂先竿が夫々振出式に収納されており、第２中竿の先端部には支持部１４Ｓが、第３中竿の先端部には支持部１６Ｓが、穂先竿にはトップガイド１８Ｔが夫々螺着されており、これら各被収納竿管は各収納竿管の先端に係止して突出しており、各竿管を指で摘んで容易に出し入れ操作できる。また、第１中竿１２は釣糸導入部２０よりも後方位置に保持部１２Ｂを設けており、元竿１０の先端部に係止させて収納状態を保持すると共に、後端部を元竿後端部にも係止している。従って、ガタつかず、釣糸挿通作業等が容易に行える。
【００２５】
前記釣糸導入部２０は、仕舞状態の釣竿の全長Ｌの前後略３０％の領域ＬＦ，ＬＲを除いた残り中間領域Ｚに配設する。こうすれば、釣糸挿通作業時に、この釣糸導入部を把持した場合に釣竿の前後のバランスが採れ、作業が容易になる。この全長Ｌは略１３０ｃｍ以下、好ましくは１２５ｃｍ以下、更に好ましくは１２０ｃｍ以下に設定する。仕舞全長Ｌが１３０ｃｍ以下であるため、一方の手で釣糸導入部２０付近を把持した状態において、第１中竿１２に収納された第２中竿等の先端部１４Ｓ，１６Ｓ，１８Ｔを他方の手で摘んで、前記一方の手を持ち変えることなく第２中竿等の後端が釣糸導入部２０の近くに位置するまで一気に引き出すことができ、非常に簡便に糸通し状態に設定できる。
【００２６】
この場合、釣糸導入部２０は外部から竿管内部が覗ける構造であるため、釣糸導入部付近を把持した一方の手を目に近づけて、第２中竿等の引き出される状態を釣糸導入部２０の長孔ガイドリング２２から覗きながら行え、より迅速に正確に行える。
【００２７】
第１中竿１２と同様に、他の竿管も元竿１０の後端近くまで収納可能に構成されておれば、引き出した長さが長い割に、竿管数を少なくでき、また、竿管数が少ないことは各竿管内径を大きく形成でき、それだけ釣糸抵抗を低減できる。更には、継合部が少ないため、釣竿全体の撓み調子を設定し易く、好ましい竿調子が容易に得られる。
【００２８】
図４は２つ目の形態例を示す。（ａ）は元竿１０に図３の場合と同様に第１中竿１２を収納した状態の図であり、（ｂ）は引き出した状態の図である。図３の場合と同様に、元竿１０にリール脚固定部１０Ｒが設けられており、第１中竿１２には釣糸導入部２０が設けられている。この第１中竿１２を収納した状態の元竿前端の直ぐ前になるように、保持部１２Ｂの直前に握り部１２Ａを形成している。他の穂先竿等は図示を省略している。この握り部はスクリーン印刷等の印刷、滑り止め塗装によるか、或いは握り部材を配設して形成したり、単なる目印であってもよい。この握り部１２Ａは保持部１２Ｂの前側であるため、第１中竿１２を収納する際に握り部を握った手が元竿１０の前端部内に狭まれて怪我をすることが防止される。
【００２９】
▲１▼釣り場の状況にあわせて（ａ）のように第１中竿１２を収納した状態において釣りを行う場合にも、リール脚固定部１０Ｒと釣糸導入部２０との距離Ｌ１が長い程、釣糸の導入角度が小さくなって釣糸抵抗が小さくなるため好ましいが、収納状態であるため長さＬ１に限りがあり、所定の長さに設定される。その長さＬ１は、リール脚固定部１０Ｒから元竿１０の前端までの距離Ｌ２と元竿の前端から釣糸導入部２０までの距離Ｌ３との和であるが、Ｌ２をＬ３よりも短く設定すると好ましい。好ましくは１／２以下に設定する。
【００３０】
その理由は、（ａ）の状態で釣りを行っている最中に仕掛けが根掛りした場合等のように、第１中竿１２を引き出したい場合には、元竿のリール脚固定部を把持している一方の手をそのままにして他方の手を元竿前端直前領域の第１中竿握り部１２Ａを握って引き出せば長く引き出せるが、この場合、釣人の両腕の拡げ間隔は所定であるため、リール脚固定部１０Ｒから元竿１０前端までの距離Ｌ２が短ければ短い程一気に長い距離Ｌ４引き出せ、引き出しの自由度が大きくなる。
▲２▼引き出した状態でのリール脚固定部１０Ｒと握り部１２Ａとの距離Ｌ５は釣人の両腕の拡げ幅を考慮して１３０ｃｍ以下、好ましくは１２５ｃｍ以下、更に好ましくは１２０ｃｍ以下に設定するとよい。この長さ以上では、引き出し操作において手を持ち変える必要が有り、一気に引き出せず不便である。
こうして引き出された状態のリール脚固定部１０Ｒと釣糸導入部２０との距離はＬ１＋Ｌ４であり、更に釣糸導入角度が小さくなり、釣糸抵抗が低減する。
【００３１】
▲３▼元竿１０から第１中竿１２を引き出す場合には、３０ｃｍ単位、５０ｃｍ単位等の倍数にすると、適宜な長さ分だけ引き出せてよいが、これに限定する必要はない。
▲４▼第１中竿１２を元竿１０に収納した長さＬ’に対する元竿１０の長さは、魚釣り中にリール脚固定部１０Ｒを握持した状態で長さの調節を行う場合には、５５〜７０％に設定すると引出し収納性が向上する。また、釣り場に合わせて長さを調節した後に魚釣り操作に入る場合は、６５〜８５％の長さに設定すると撓み性や収納性が向上する。
上記▲１▼〜▲４▼は単独で採用してもよいが、組み合わせてもよい。
【００３２】
図５は図３や図４と同様に、釣糸導入部２０を設けた第１中竿１２がリール脚固定部１０Ｒを設けた元竿１０に対して上記▲４▼記載のように相当に長く形成されていると共に、その後端が元竿１０に着脱自在に螺着された尻栓１０Ａに概ね達するように収納されている。保持部１２Ｂはこの収納状態を維持するように元竿１０の先端内部に係止するように第１中竿に形成されている。その直前には図４と同様な握り部１２Ａが形成されている。図６はこの釣竿を引き伸ばした状態を示す。
【００３３】
第２中竿１４は長さｌ３を有し、その後端が第１中竿１２の後端部に設けられた図示しない釣糸挿通可能な栓体に概ね達するように収納されており、その先端部の支持部１４Ｓが第１中竿１２の先端に係止して突出している。同様に、第３中竿１６は長さｌ４を有し、その後端が第２中竿１４の後端部に設けられた図示しない釣糸挿通可能な栓体に概ね達するように収納されており、その先端部の支持部１６Ｓが第２中竿１４の先端に係止して突出している。同様に、穂先竿１８は長さｌ５を有し、その後端が第３中竿１６の後端部に設けられた図示しない釣糸挿通可能な栓体に概ね達するように収納されており、その先端部のトップガイド１８Ｔが第３中竿１６の先端に係止して突出している。
【００３４】
以上のように各竿管はトップガイドや支持部によって首吊状態に支持され、後端を浮かせるように収納されているが、後端部に突き当たるように係止して収納してもよい。更には、首吊状態では収納された竿管の後端部を軽く保持してガタ付きを防止したり、後端部に突き当てる場合には先部を軽く保持してガタ付きを防止することが好ましい。なお、首吊状態に支持すれば、後端部において釣糸が狭持されず、釣糸の食い込みや傷付きが防止される他、各支持部等を摘んで被収納竿管を引き出す操作が容易になる。従って、釣糸を挿通させた状態で各竿管を仕舞った際に、後部に釣糸が絡んだような場合に、支持部を摘んでそれを解除する操作が容易になる。
【００３５】
上記のように各被収納竿管が各収納竿管の後端部近くまで収納され、しかも先端部が突出する長さ関係に形成されておれば、引き出した際の釣竿長さの割に、仕舞寸法を短くできる。また、同じ釣竿長さにする場合は、竿管の継数を少なくでき（節数を少なくでき）、各竿管の内径を大きく設定でき、それだけ内部に挿通させる釣糸の抵抗を低減できる他、剛性の高くなる継合部が少ないため、竿調子を設定し易くなる。
なお、各竿管を引抜き分解可能なように、トップガイドや各保持部を着脱自在な構成にすると共に、尻栓や栓体も着脱自在に構成する。
【００３６】
釣糸導入部２０は図３と同様に構成しているが、ブリッジ状の金属製フレーム２６と、このフレームの後部に装着されたセラミックス等の硬質のガイドリング２４とは無くてもよいが、設ける場合には、第１中竿表面から高い位置にガイドリング２４を設けて釣糸が第１中竿表面に接触しないようにしたり、また、第１中竿１２の元竿への収納状態が図３のように釣糸導入部２０が元竿の先端部に近い位置に来る場合には、この元竿先端外側表面よりも高い位置に設定することが好ましい。更には、収納された場合の釣糸導入部２０が図３のように元竿先端部に近い位置に来る場合には、図５の握り部１２Ａは釣糸導入部２０の前側に設定し、収納した短い状態での釣りにおいて、握った手に釣糸が接触しないようにすることが好ましい。
【００３７】
上記１つ目の目的達成手段によれば、釣糸導入部が仕舞状態の釣竿の前後の略３０％を除いた中間領域に位置しているため、把持した場合に釣竿のバランスが採れ、糸通し作業が容易になる。更には、仕舞全長Ｌが１３０ｃｍ以下であるため、一方の手で釣糸導入部付近を把持した状態において、他の竿管をその後端が釣糸導入部の近くに位置するまで一気に引き出すことができ、非常に簡便に糸通し可能状態に設定できる。
２つ目の目的達成手段によれば、リール脚固定部から元側竿管の前端までの距離は元側竿管の前端から釣糸導入部までの距離よりも短く設定しており、釣り状態においてこの中竿を引き出す場合には、元側竿管のリール脚固定部を把持している一方の手をそのままにして他方の手を元側竿管前端直前領域の中竿を握って引き出せば長く引き出せるが、この場合釣人の両腕の拡げ間隔が所定であるため、リール脚固定部から元側竿管前端までの距離が短ければ短い程一気に引き出せる長さを長くでき、釣糸抵抗を低減させつつ長さ調節を快適、かつ迅速に行える。
【００３８】
【発明の効果】
以上の説明から明らかなように、長さ調節が迅速にできるため、根掛りした糸を迅速に外すことの可能な継式中通し釣竿が提供できる。
【図面の簡単な説明】
【図１】図１は本発明に係る第１形態例の継式中通し釣竿収納状態側面図である。
【図２】図２は本発明に係る第２形態例の継式中通し釣竿収納状態側面図である。
【図３】図３は１つ目の目的達成手段に係る継式中通し釣竿収納状態側面図である。
【図４】図４は２つ目の目的達成手段に係る中通し釣竿の元竿への第１中竿収納状態側面図と、引き出し状態側面図である。
【図５】図５は中通し釣竿の収納状態側面図である。
【図６】図６は図５の中通し釣竿の引き出し状態の側面図である。
【符号の説明】
５０              元竿
５２              第１中竿
５４              第２中竿
６２              リール脚固定装置
【図１】
0003745894.tif 000002
【図２】
0003745894.tif 000003
【図３】
0003745894.tif 000004
【図４】
0003745894.tif 000005
【図５】
0003745894.tif 000006
【図６】
0003745894.tif 000007